【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
冷媒圧縮用の圧縮機，冷暖房運転状態を切り換える四方弁，室外熱交換器，膨張弁及び室内側熱交換器を接続配管により環状に接続してなる冷凍サイクルと、送風ファンと、圧縮機用電動機を駆動する圧縮機用電動機駆動装置とを備え、
該圧縮機用電動機駆動装置は、
入力交流電圧を整流・平滑して出力直流電圧を生成する電力変換器と、
該電力変換器の出力直流電圧を電源電圧とし、該圧縮機用電動機の回転数を可変に駆動するインバータと
を有する空気調和機において、
該電力変換器の出力直流電圧を可変する機能を有し、該電力変換器の該出力直流電圧を高めることにより、該インバータの通電率を変化させるときの該圧縮機用電動機の回転数よりも高い回転数で該圧縮機用電動機を回転させ、
該室内側熱交換器は、室外温度が低い暖房運転時に、該電力変換器の出力直流電圧を高くして該圧縮機用電動機を高い回転数で運転しても、該送風ファンによる送風量との組み合わせにより、制限電流よりも低い運転電流を維持する冷媒凝縮量を有する大きさとしたことを特徴とする空気調和機。
【請求項２】
冷媒圧縮用の圧縮機，冷暖房運転状態を切り換える四方弁，室外熱交換器，膨張弁及び室内側熱交換器を接続配管により環状に接続してなる冷凍サイクルと、送風ファンと、圧縮機用電動機を駆動する圧縮機用電動機駆動装置とを備え、
該圧縮機用電動機駆動装置は、
入力交流電圧を整流・平滑して出力直流電圧を生成する電力変換器と、
該電力変換器の出力直流電圧を電源電圧とし、該圧縮機用電動機の回転数を可変に駆動するインバータと
を有する空気調和機において、
該電力変換器の出力直流電圧を可変する機能を有し、該電力変換器の該出力直流電圧を高めることにより、該インバータの通電率を変化させるときの該圧縮機用電動機の回転数よりも高い回転数で該圧縮機用電動機を回転させ、
該室内側熱交換器は、室外温度が−１０℃の暖房運転時に、該電力変換器の出力直流電圧を最大にして該圧縮機用電動機を最高回転数で運転しても、該送風ファンによる送風量との組み合わせにより、制限電流よりも低い運転電流を維持する冷媒凝縮量を有する大きさとしたことを特徴とする空気調和機。
【請求項３】
冷媒圧縮用の圧縮機，冷暖房運転状態を切り換える四方弁，室外熱交換器，膨張弁及び室内側熱交換器を接続配管により環状に接続してなる冷凍サイクルと、送風ファンと、圧縮機用電動機を駆動する圧縮機用電動機駆動装置とを備え、
該圧縮機用電動機駆動装置は、
入力交流電圧を整流・平滑して出力直流電圧を生成する電力変換器と、
該電力変換器の出力直流電圧を電源電圧とし、該圧縮機用電動機の回転数を可変に駆動するインバータと
を有する空気調和機において、
該電力変換器の出力直流電圧を可変する機能を有し、該電力変換器の該出力直流電圧を高めることにより、該インバータの通電率を変化させるときの該圧縮機用電動機の回転数よりも高い回転数で該圧縮機用電動機を回転させ、
該室内側熱交換器は、室外温度が−１５℃以下の暖房運転時に、該電力変換器の出力直流電圧を最大にして該圧縮機用電動機を最高回転数で運転しても、該送風ファンによる送風量との組み合わせにより、制限電流よりも低い運転電流を維持する冷媒凝縮量を有する大きさとしたことを特徴とする空気調和機。
【請求項４】
冷媒圧縮用の圧縮機，冷暖房運転状態を切り換える四方弁，室外熱交換器，膨張弁及び室内側熱交換器を接続配管により環状に接続してなる冷凍サイクルと、送風ファンと、圧縮機用電動機を駆動する圧縮機用電動機駆動装置とを備え、
該圧縮機用電動機駆動装置は、
入力交流電圧を整流・平滑して出力直流電圧を生成する電力変換器と、
該電力変換器の出力直流電圧を電源電圧とし、該圧縮機用電動機の回転数を可変に駆動するインバータと
を有する空気調和機において、
該電力変換器の出力直流電圧を可変する機能を有し、該電力変換器の該出力直流電圧を高めることにより、該インバータの通電率を変化させるときの該圧縮機用電動機の回転数よりも高い回転数で該圧縮機用電動機を回転させ、
該室内側熱交換器は、暖房運転時の冷媒流路の出口側の流路面積を小さくして、室外温度が低い暖房運転時に、該電力変換器の出力直流電圧を高くして該圧縮機用電動機を高い回転数で運転しても、該送風ファンによる送風量との組み合わせにより、制限電流よりも低い運転電流を維持する冷媒凝縮量を有する大きさとしたことを特徴とする空気調和機。
【請求項５】
冷媒圧縮用の圧縮機，冷暖房運転状態を切り換える四方弁，室外熱交換器，膨張弁及び室内側熱交換器を接続配管により環状に接続してなる冷凍サイクルと、送風ファンと、圧縮機用電動機を駆動する圧縮機用電動機駆動装置とを備え、
該圧縮機用電動機駆動装置は、
入力交流電圧を整流・平滑して出力直流電圧を生成する電力変換器と、
該電力変換器の出力直流電圧を電源電圧とし、該圧縮機用電動機の回転数を可変に駆動するインバータと
を有する空気調和機において、
該電力変換器の出力直流電圧を可変する機能を有し、該電力変換器の該出力直流電圧を高めることにより、該インバータの通電率を変化させるときの該圧縮機用電動機の回転数よりも高い回転数で該圧縮機用電動機を回転させ、
該室内側熱交換器は、暖房運転時の出口側の冷媒流路を一系統として入口側の冷媒流路を二系統以上とし、室外温度が低い暖房運転時に、該電力変換器の出力直流電圧を高くして該圧縮機用電動機を高い回転数で運転しても、該送風ファンによる送風量との組み合わせにより、制限電流よりも低い運転電流を維持する冷媒凝縮量を有する大きさとしたことを特徴とする空気調和機。
【請求項６】
冷媒圧縮用の圧縮機，冷暖房運転状態を切り換える四方弁，室外熱交換器，膨張弁及び室内側熱交換器を接続配管により環状に接続してなる冷凍サイクルと、圧縮機用電動機を駆動する圧縮機用電動機駆動装置とを備え、
該圧縮機用電動機駆動装置は、
入力交流電圧を整流・平滑して出力直流電圧を生成し、かつ該出力直流電圧を可変に制御する電力変換器と、
該電力変換器の出力直流電圧を電源電圧とし、該圧縮機用電動機の回転数を可変に駆動するインバータと
を有し、
該電力変換器は、その出力直流電圧を可変とし、
該室内側熱交換器は、室内熱交換器と該室内熱交換器よりも風上側である室内空気の吸込口側に配置された暖房運転時過冷却用となる補助熱交換器とを有し、室外温度が低い暖房運転時に、該電力変換器の出力直流電圧を高くして該圧縮機用電動機を高い回転数で運転しても、制限電流よりも低い運転電流を維持する冷媒凝縮量を有する大きさとしたことを特徴とする空気調和機。
【請求項７】
冷媒圧縮用の圧縮機，冷暖房運転状態を切り換える四方弁，室外熱交換器，膨張弁及び室内側熱交換器を接続配管により環状に接続してなる冷凍サイクルと、圧縮機用電動機を駆動する圧縮機用電動機駆動装置とを備え、
該圧縮機用電動機駆動装置は、
入力交流電圧を整流・平滑して出力直流電圧を生成し、かつ該出力直流電圧を可変に制御する電力変換器と、
該電力変換器の出力直流電圧を電源電圧とし、該圧縮機用電動機の回転数を可変に駆動するインバータと
を有し、
該室内側熱交換器は、室内熱交換器と該電力変換器は、その出力直流電圧を可変とし、
該室内側熱交換器は、室内熱交換器と該室内熱交換器よりも風上側である室内空気の吸込口側に配置された暖房運転時過冷却用となる補助熱交換器とを有し、室外温度が−１０℃の暖房運転時に、該電力変換器の出力直流電圧を最大にして該圧縮機用電動機を最高回転数で運転しても、制限電流よりも低い運転電流を維持する冷媒凝縮量を有する大きさとしたことを特徴とする空気調和機。
【請求項８】
冷媒圧縮用の圧縮機，冷暖房運転状態を切り換える四方弁，室外熱交換器，膨張弁及び室内側熱交換器を接続配管により環状に接続してなる冷凍サイクルと、圧縮機用電動機を駆動する圧縮機用電動機駆動装置とを備え、
該圧縮機用電動機駆動装置は、
入力交流電圧を整流・平滑して出力直流電圧を生成し、かつ該出力直流電圧を可変に制御する電力変換器と、
該電力変換器の出力直流電圧を電源電圧とし、該圧縮機用電動機の回転数を可変に駆動するインバータと
を有し、
該室内側熱交換器は、室内熱交換器と該室内熱交換器よりも風上側である室内空気の吸込口側に配置された暖房運転時過冷却用となる補助熱交換器とを有し、室外温度が−１５℃の暖房運転時に、該電力変換器の出力直流電圧を最大にして該圧縮機用電動機を最高回転数で運転しても、制限電流よりも低い運転電流を維持する冷媒凝縮量を有する大きさとしたことを特徴とする空気調和機。
【請求項９】
冷媒圧縮用の圧縮機，冷暖房運転状態を切り換える四方弁，室外熱交換器，膨張弁及び室内側熱交換器を接続配管により環状に接続してなる冷凍サイクルと、圧縮機用電動機を駆動する圧縮機用電動機駆動装置とを備え、
該圧縮機用電動機駆動装置は、
入力交流電圧を整流・平滑して出力直流電圧を生成し、かつ該出力直流電圧を可変に制御する電力変換器と、
該電力変換器の出力直流電圧を電源電圧とし、該圧縮機用電動機の回転数を可変に駆動するインバータと
を有し、
該室内側熱交換器は、室内熱交換器と該室内熱交換器よりも風上側である室内空気の吸込口側に配置された暖房運転時過冷却用となる補助熱交換器とを有し、室外温度が低い暖房運転時に、該電力変換器の出力直流電圧を高くして該圧縮機用電動機を高い回転数で運転しても、制限電流よりも低い運転電流を維持する冷媒凝縮量を有する大きさとしたことを特徴とする空気調和機。
【請求項１０】
冷媒圧縮用の圧縮機，冷暖房運転状態を切り換える四方弁，室外熱交換器，膨張弁及び室内側熱交換器を接続配管により環状に接続してなる冷凍サイクルと、圧縮機用電動機を駆動する圧縮機用電動機駆動装置とを備え、
該圧縮機用電動機駆動装置は、
入力交流電圧を整流・平滑して出力直流電圧を生成し、かつ該出力直流電圧を可変に制御する電力変換器と、
該電力変換器の出力直流電圧を電源電圧とし、該圧縮機用電動機の回転数を可変に駆動するインバータと
を有し、
該室内側熱交換器は、室内熱交換器と、該室内熱交換器よりも風上側である室内空気の吸込口側に配置され、かつ冷媒通路上該室内熱交換器よりも下流側に配置された流路面積の小さい暖房運転時過冷却用の過冷却用補助熱交換器とを有し、室外温度が低い暖房運転時に、該電力変換器の出力直流電圧を高くして該圧縮機用電動機を高い回転数で運転しても、制限電流よりも低い運転電流を維持する冷媒凝縮量を有する大きさとしたことを特徴とする空気調和機。
【請求項１１】
冷媒圧縮用の圧縮機，冷暖房運転状態を切り換える四方弁，室外熱交換器，膨張弁及び室内側熱交換器を接続配管により環状に接続してなる冷凍サイクルと、圧縮機用電動機を駆動する圧縮機用電動機駆動装置とを備え、
該圧縮機用電動機駆動装置は、
入力交流電圧を整流・平滑して出力直流電圧を生成する電力変換器と、
該電力変換器の出力直流電圧を電源電圧とし、該圧縮機用電動機の回転数を可変に駆動するインバータと
を有する空気調和機において、
該室内側熱交換器は、室外温度が低い暖房運転時に、該圧縮機用電動機を高い回転数で運転しても、制限電流よりも低い運転電流を維持することを特徴とする空気調和機。
【手続補正２】
【補正対象書類名】明細書
【補正対象項目名】００３３
【補正方法】変更
【補正の内容】
【００３３】
即ち、上記目的は、冷媒圧縮用の圧縮機，冷暖房運転状態を切り換える四方弁，室外熱交換器，膨張弁及び室内側熱交換器を接続配管により環状に接続してなる冷凍サイクルと、送風ファンと、圧縮機用電動機を駆動する圧縮機用電動機駆動装置とを備え、圧縮機用電動機駆動装置は、入力交流電圧を整流・平滑して出力直流電圧を生成する電力変換器と、電力変換器の出力直流電圧を電源電圧とし、圧縮機用電動機の回転数を可変に駆動するインバータとを有する空気調和機において、電力変換器の出力直流電圧を可変する機能を有し、電力変換器の出力直流電圧を高めることにより、インバータの通電率を変化させるときの圧縮機用電動機の回転数よりも高い回転数で圧縮機用電動機を回転させ、室内側熱交換器は、室外温度が低い暖房運転時に、電力変換器の出力直流電圧を高くして圧縮機用電動機を高い回転数で運転しても、送風ファンによる送風量との組み合わせにより、制限電流よりも低い運転電流を維持する冷媒凝縮量を有する大きさとしたことにより、達成される。
【手続補正３】
【補正対象書類名】明細書
【補正対象項目名】００３４
【補正方法】変更
【補正の内容】
【００３４】
また、冷媒圧縮用の圧縮機，冷暖房運転状態を切り換える四方弁，室外熱交換器，膨張弁及び室内側熱交換器を接続配管により環状に接続してなる冷凍サイクルと、送風ファンと、圧縮機用電動機を駆動する圧縮機用電動機駆動装置とを備え、圧縮機用電動機駆動装置は、入力交流電圧を整流・平滑して出力直流電圧を生成する電力変換器と、電力変換器の出力直流電圧を電源電圧とし、圧縮機用電動機の回転数を可変に駆動するインバータとを有する空気調和機において、電力変換器の出力直流電圧を可変する機能を有し、電力変換器の出力直流電圧を高めることにより、インバータの通電率を変化させるときの圧縮機用電動機の回転数よりも高い回転数で圧縮機用電動機を回転させ、室内側熱交換器は、室外温度が−１０℃の暖房運転時に、電力変換器の出力直流電圧を最大にして圧縮機用電動機を最高回転数で運転しても、送風ファンによる送風量との組み合わせにより、制限電流よりも低い運転電流を維持する冷媒凝縮量を有する大きさとしたことにより、達成される。